(57)【要約】【課題】  サイドライト型面光源装置において、保持部材の桟に沿った輝度ムラを低減して、高品位の照明光を出射できるようにする。【解決手段】  導光板２と、反射部材と、これらを保持する保持部材１１を少なくとも備え、前記保持部材１１が前記導光板２の側面を囲む側板１１Ａと当該側板１１Ａを結び且つ前記反射部材を介して導光板２の底面側を保持する桟１１Ｂとからなるとともに、前記反射部材を白色ＰＥＴによるシート材７１Ａ及び７１Ｂを積層して形成する。【選択図】  図６
2004172141.tif 000002
【特許請求の範囲】
【請求項１】
入射面から入射した光が内部を伝搬する過程で出射面から出射するように構成された導光板、当該導光板の出射面と対向する底面側に配置される反射部材、及びこれらを保持する保持部材を少なくとも備え、前記保持部材が前記導光板の側面を囲む側板と当該側板を結び且つ前記反射部材を介して導光板の底面側を保持する桟とからなるとともに、前記反射部材が複数のシート材を積層して形成されたことを特徴とするサイドライト型面光源装置。
【発明の詳細な説明】
【技術分野】
【０００１】
本発明は、サイドライト型面光源装置に関するものである。
【従来技術】
【０００２】
従来、例えば液晶表示装置においては、サイドライト型面光源装置により液晶表示パネルを照明し、これにより全体形状を薄型化するようになされている。
【０００３】
サイドライト型面光源装置は、棒状光源でなる一次光源を板状部材からなる導光板の側方に配置し、このー次光源より出射される照明光を導光板の端面より導光板に入射する。さらにサイドライト型面光源装置は、導光板の内部を伝搬する光が、その伝搬の過程で導光板の出射面より液晶表示パネルに向けて出射し、これにより全体形状を薄型化できるようになされている。
【０００４】
このようなサイドライト型面光源装置は、ほぼ均一な板厚により導光板を形成した方式のものと、一次光源より遠ざかるに従って導光板の板厚を徐々に薄く形成した形式のものとがあり、後者は、前者に比して効率良く照明光を出射することができる。
【０００５】
すなわち図７は、この後者のサイドライト型面光源装置の一例を示す分解斜視図であり、図８は、図７をＡ−Ａ線で切り取って示す断面図である。このサイドライト型面光源装置１は、導光板２の側方に一次光源3を配置し、反射部材としての反射シート４、導光板２、光拡散シート５、光制御部材でなるプリズムシート６及び７、弱い光拡散性を有するシート材からなる保護シート８を順次積層して形成される。このうち一次光源３は、冷陰極管でなる蛍光ランプ９の周囲を、リフレクタ一１０で囲って形成され、リフレクタ一１０の開口側より導光板２の端面２Ａに照明光を入射する。ここでリフレクター１０は、入射光を正反射又は乱反射する例えばンート材により形成される。
【０００６】
導光板２は、例えばアクリル（ＰＭＭＡ樹脂）を射出成形して断面模型形状に形成され、端面でなる入射面２Ａよりー次光源3の照明光を入射する。これにより導光板２は、反射シート４側平面(以下斜面と呼ぶ)２Ｂと光拡散シート５側平面（以下出射面と呼ぶ）２Ｃとの間を繰り返し反射して照明光を伝澱し、この斜面２Ｂ及び出射面２Ｃにおける反射の際に、臨界角以下の成分を斜面２Ｂ及び出射面２Ｃより出射する。
【０００７】
さらにこの導光板２は、斜面２Ｂに光拡散面２Ｄが形成される。ここでこの光拡散面２Ｄは、入射面２Ａ側より模型先端に向かって光拡散の程度が順次増大するように、例えば炭酸マグネシウム、酸化チタン等を顔料にしてなる光拡散性のインクを選択的に付着して形成される。なお光拡散面２Ｄは、光拡散性のインクに代えて斜面２Ｂを部分的に梨地面（シボ面、粗面）に形成して作成される場合もある。この場合も同様に光拡散面２Ｄは、一定のピッチで、あるいはランダムに、例えば矩形形状に梨地面の領域を形成し、入射面２Ａ側より模型先端に向かって各矩形形状領域の面積か増大するように形成される。これにより導光板２は、模型先端側で低減する出射光量を補正し、出射光の光量分布を均一化する。
【０００８】
このようにして照明光を拡散させるものの、導光板２は、基本的には、斜面２Ｂ及び出射面２Ｃとの間を繰り返し反射して照明光を伝服しなから、斜面で反射する毎に出射面に対する照明光の入射角を低減し、このうち臨界角以下の成分を出射面２Ｃより出射するものである。従って出射面２Ｃより出射される照明光は、主たる出射方向が模型形状の先端方向に傾いて形成される。
【０００９】
反射シート４は、金属箔等でなるシート状の正反射部材、又は白色ＰＥＴフィルム等でなるシート状の乱反射部材により形成され、斜面２Ｂより漏れ出す照明光を反射して導光板２に入射し、これにより照明光の利用効率を向上させる。
【００１０】
プリズムシート６及び７は、導光板２の指向性を補正するために配置され、光拡散シート５は、出射面２Ｃ側より斜面２Ｂの光拡散面２Ｄが認識されないように、さらには照明光により照らし出される導光板２の各部の輝き、影等を目立たなくするように配置される。
【００１１】
すなわち光拡散シート５は、導光板２より出射される照明光を拡散して射出する。プリズムシート６及び７、は、ポリカーボネート等の透光性のシート材で形成され、導光板２と対向する側とは逆側の面にプリズム面か形成される。このプリズム面は、一方向にほぼ平行に延長する断面三角形形状の突起が繰り返されて形成され、この例の場合、導光板２側のプリズムシート６は、この突起か入射面２Ａと平行に延長するように、プリズムシート７は、この突起か入射面２Ａと直交する方向に延長するように配置される。
【００１２】
これによりプリズムシート６及び７は、このミ角形形状の突起の斜面で、出射光の主たる出射方向を出射面２Ｃの正面方向に補正する。なおプリズムシートとしては、両面にプリズム面を形成した構造のいわゆる両面プリズムシートを用いる場合もある。これによりこのサイドライト型面光源装置１では、ほぼ均一な板厚により導光板を形成した方式のサイドライト型面光源装置に比して、出射光を正面方向に効率良く出射できるようになされている。
【００１３】
保護シート８は、このプリズムシート７の表面をキズつき等から保護すると共に、プリズムシート６及び７により補正された出射光の指向性を緩和して、出射光の視野角を拡大する。これによりサイドライト型面光源装置１では、出射面の正面方向に、所望の広がりで照明光を出射する。
【００１４】
このような基本的な構造に係るサイドライト型面光源装置１（図７）は、所定のフレーム１１に光学部品かー体に保持され、液晶表示パネルと組み合わされる。ここでフレーム１１は、例えば白色の樹脂を射出成形して形成され、サイドライト型面光源装置１の周囲を囲む側板１１Ａと、この側板１１Ａを塞ぐ底面により構成される。この底面は、導光板２の斜面側を縁取りすると共に、所定位置で側面１１Ａを接続する薄板の桟１１Ｂにより形成される。フレーム１１は、この桟１１Ｂにより成形時におけるフレーム１１の変形を低減できるようになされている。またフレーム１１は、この桟１１Ｂの所定位置か図面にて下方に突出して、この突出した部分にねじ孔が形成されるようになされており、このねじ孔を用いて背面側に液晶表示パネル等の駆動基板（図示せず）を保持し、充分な強度を確保すると共に、全体重量を低減するようになされている。
【００１５】
これによりサイドライト型面光源装置１は、一次光源3をフレーム１１の所定位置に保持した後、順次反射シート４、導光板２等をフレーム内に配置し、その後棒状の保持部材１２を出射面側、一次光源3側にフレーム１１を配置して、組み立てられる。さらにサイドライト型面光源装置１では、導光板２の出射面上に光拡散シート５、プリズムシート６、７、及び保護シート８が順次積層されて保持されるようになされている。
【発明の開示】
【発明が解決しようとする課題】
【００１６】
ところでこの種のサイドライト型面光源装置１について出射面を詳細に観察したところ、このフレーム１１の桟１１Ｂに沿って輝度レベルが部分的に増大し、輝度ムラが発生していることが判った。
【００１７】
このフレーム１１の桟１１Ｂに沿った輝度ムラを低減することかできれば、さらにこの種のサイドライト型面光源装置について、出射光の品位を向上することかできる。
【００１８】
本発明は以上の点を考慮してなされたもので、フレームの桟に沿った輝度ムラを低減することができるサイドライト型面光源装置及び表示装置を提案しようとするものである。
【課題を解決するための手段】
【００１９】
かかる課題を解決する本発明のサイドライト型面光源装置は、入射面から入射した光が内部を伝搬する過程で出射面から出射するように構成された導光板、当該導光板の出射面と対向する底面側に配置される反射部材、及びこれらを保持する保持部材を少なくとも備え、前記保持部材が前記導光板の側面を囲む側板と当該側板を結び且つ前記反射部材を介して導光板の底面側を保持する桟とからなるとともに、前記反射部材が複数のシート材を積層して形成されたことを特徴とする。
【発明の効果】
【００２０】
上述のように本発明によれば、反射部材と保持部材間に光量補正面を形成し、又は保持部材の背面に光量補正部材を配置し、保持部材の桟の部分における照明光光量と、閉口の部分における照明光光量かほぼ等しくなるように、光量補正面又は光量補正部材により照明光の光量を補正することにより、又はシート材を積層して反射部材を形成することにより、桟に沿った輝度ムラを有効に回避して、高品位の照明光を出射することができる。
【発明を実施するための最良の形態】
【００２１】
以下、適宜図面を参照しなから本発明を詳述する。
【００２２】
（１）第１の参考例
図１は、図６との対比により本発明の第１の参考例に係るサイドライト型面光源装置を示す分解斜視図である。このサイドライト型面光源装置２０は、フレーム１１に反射部材としての反射シート２１、導光板２等を配置して形成される。
【００２３】
ここでフレーム１１は、照明光を効率良く反射する反射率の高い白色の樹脂を射出成形して、従来と同一形状に形成される。これに対して反射シート２１は、白色ＰＥＴフィルム等でなるシート状の乱反射部材に、反射率の低い灰色のインク２１Ａを部分的に印刷して光量補正面か形成される。ここで図２に示すように、この灰色のインク２１Ａは、導光板２と逆側の面に、フレーム１１の桟１１Ｂに重なるように、反射シート２１に選択的に印刷される。
【００２４】
これにより反射シート２１は、この反射シート２１を透過した照明光を遮光し、この照明光かフレーム１１の桟１１Ｂにより反射して導光板２に入射しないようになされている。
【００２５】
以上の構成において、蛍光ランプ９から射出された照明光は（図１）、直接に、又はリフレクタ一１０で反射した後、入射面２Ａより導光板２の内部に入射し、この照明光が斜面と出射面との間で反射を繰り返しながら、導光板２の内部を伝搬する。このときこの照明光は、斜面で反射する毎に全体的に出射面に対する入射角が低下し、出射面に対して臨界角以下の成分が出射面より出射される。この出射面より出射された照明光は、光拡散シート５を透過した後、プリズムシート６、７、保護シート８により指向性が補正され、この保護シート８の前面に配置された液晶表示パネル等を照明する。
【００２６】
このようにして導光板２の内部を伝澱する照明光は、斜面における反射の際に、出射面の場合と同様に、斜面に対する入射角か徐々に低下することにより、また斜面に形成された光拡散面により散乱を受けることにより、一部が斜面より漏れ出し（図２）、この漏れ出した照明光Ｌ１か斜面側に配置された反射シート２１により乱反射されて、導光板２の内部に戻される。
【００２７】
このときこの斜面より漏れ出した照明光のー部は、反射シート２１を透過し、反射シート２１に光量補正面か形成されていない場合、フレーム１１の桟１１Ｂにより反射されて、導光板２の内部に戻されることになり、これにより桟１１Ｂの部分と、桟１１Ｂ間の開口１１Ｃの部分とで出射面からの出射光に輝度ムラが発生することになる。
【００２８】
これに対してこの実施例においては、この反射シート２１を透過した照明光の一部か、灰色のインク２１Ａにより遮光され、これにより開口１１Ｃの部分で導光板２の内部に戻る照明光Ｌ１Ｃに対して、桟１１Ｂの部分で導光板２の内部に戻る照明光Ｌ１Ｂの光量かほぼ等しい光量に保持され、輝度ムラか有効に回避される。
【００２９】
以上の構成によれば、反射シート２１に灰色のインクを印刷するだけの簡易な構成により、開口１１Ｃの部分で導光板２の内部に戻る照明光Ｌ１Ｃと、桟１１Ｂの部分で導光板２の内部に戻る照明光Ｌ１Ｂをほぼ等しい光量に保持することかでき、これによりフレームの桟１１Ｂに沿った輝度ムラを有効に回避することかできる。
【００３０】
（３）第２の参考例
図３は、本発明の第２の参考例に係るサイドライト型面光源装置に適用されるフレームを示す斜視図である。この参考例に係るサイドライト型面光源装置においては、図７について上述したフレーム１１に代えて、このフレーム２５が適用される。
【００３１】
ここでこのフレーム２５は、図６について上述したフレーム１１と同一形状に、白色の樹脂を射出成形して形成される。さらにこのフレーム２５は、桟２５Ｂの部分、導光板２側に、灰色のインク２６が印刷され、これによりこの桟２５Ｂの導光板２側に光吸収面による光量補正面が形成される。
【００３２】
これによりフレーム２５は、反射シートを透過して桟２５Ｂに入射する照明光のー部をこの灰色のインク２６により吸収して、この照明光か桟２５Ｂの部分で反射して導光板２の内部に戻らないようになされている。
【００３３】
図３に示す構成によれば、反射シートに代えて、フレーム２５の桟２５Ｂに光吸収面による光量補正面を形成しても、第１の参考例と同様の効果を得ることかできる。
【００３４】
（３）第３の参考例
図４は、本発明の第3の参考例に係るサイドライト型面光源装置を示す分解斜視図である。このサイドライト型面光源装置３０では、フレーム１１及び反射ンート４間に光量補正シート３１を介挿する。なおこの図４においては、導光板２の出射面側に配置されるプリズムシート等については、記載を省略する。また図６について上述した従来構成と同一の構成は、対応する符号を付して示し、重複した説明は省略する。
【００３５】
ここで光量補正シート３１は、光吸収率の大きな、黒色のシート材により形成され、反射シート４を透過した照明光を吸収する。これにより光量補正シート３１は、桟１１Ｂの部分についても、開口１１Ｃの部分についても、この透過した照明光が導光板２側に戻らないようにし、桟１１Ｂにより反射して導光板２に戻る照明光と、桟１１Ｂ間の開口部にて導光板２に戻る照明光との光量がほぼ等しくなるように、反射シート４を透過した照明光の透過光量を補正する。
【００３６】
図４に示す構成によれば、フレーム１１及び反射シート４間に光量補正シート３１を介挿し、この光量補正シート３１により反射シート４の透過光を吸収して、反射シート４を透過した照明光の光量を補正しても、第１の参考例と同様の効果を得ることかてきる。
【００３７】
（４）第４の参考例
この参考例においては、光吸収率の高い黒色の樹脂によりフレームを形成する。なおこの第４の参考例においては、このフレーム及び反射シート以外の構成は、第１の参考例と同一でなることにより、フレーム４１及び反射シートの符号４１及び４２を括弧書きにより示して、この第１の参考例に係る図１を流用してこの参考例に係るサイドライト型面光源装置４０を説明する。
【００３８】
すなわちこの参考例において、反射シート４２は、白色ＰＥＴフィルム等でなるシート状の乱反射部材に、反射率の高い銀色のインク４２Ａを部分的に印刷して光量補正面か形成される。ここでこのインク４２Ａは、導光板２と逆側の面に、フレーム４１の桟４１Ｂに重なるように、反射シート４２に選択的に印刷される。
【００３９】
これにより反射シート４２は、この反射シート４２を透過した照明光のうち、桟４１Ｂの部分では、インク４２Ａで反射して導光板２に戻すようになされている。
【００４０】
すなわちこの種のサイドライト型面光源装置は、液晶表示パネルの面光源装置として使用される。この場合サイドライト型面光源装置４０の背面には、放熱用、シールド用のアルミパネル等か配置され、開口４１Ｃを通過した照明光がこのアルミパネル等で反射して導光板２に戻る場合かある。この場合サイドライト型面光源装置４０では、桟４１Ｂの部分に比して開口４１Ｃの部分で輝度レベルが増大するようになる。
【００４１】
これによりこの参考例では、反射シート４２のフレーム側にインク４２Ａを選択的に印刷して光量補正面を形成し、桟４１Ｂにより反射して導光板２に戻る照明光と、桟４１Ｂ間の開口部にて導光板２に戻る照明光との光量かほぼ等しくなるように、反射シート４を透過した照明光の透過光量を補正する。
【００４２】
この第４の参考例によれば、フレーム４１を光反射率の低い部材により形成する場合に、反射シート４２に銀色のインクを印刷して光量補正面を形成するだけの簡易な構成により、フレームの桟４１Ｂに沿った輝度ムラを有効に回避することかできる。
【００４３】
（５）第５の参考例
この参考例においては、光吸収率の高い黒色の樹脂によりフレームを形成する。なおこの第５の参考例においては、このフレーム以外の構成は、第２の参考例と同一でなることにより、フレームの符号４５を括弧書きにより示して、この第２の参考例に係る図３を流用してこの参考例に係るサイドライト型面光源装置を説明する。
【００４４】
ここでこのフレーム４５は、図７について上述したフレーム１１と同一形状に、黒色の樹脂を射出成形して形成される。さらにこのフレーム２５は、桟４５Ｂの部分、導光板２側に、銀色のインク４６が印刷され、これによりこの桟４５Ｂの導光板２側に光反射面による光量補正面が形成される。
【００４５】
この第5の参考例によれば、光吸収率の高い黒色の樹脂によりフレームを形成する場合に、フレーム４５の桟４５Ｂに光反射面による光量補正面を形成しても、第１の参考例と同様の効果を得ることができる。
【００４６】
（６）第６の参考例
この参考例においても、光吸収率の高い黒色の樹脂によりフレームを形成し、フレーム、光量補正シート以外の構成は、第３の参考例と同一でなることにより、フレーム、光量補正シートの符号４１、５１を括弧書きにより示して、この第３の参考例に係る図４を流用してこの参考例に係るサイドライト型面光源装置を説明する。
【００４７】
ここで光量補正シート５１は、光反射率の高い、銀色のシート材により形成され、反射シート４を透過した照明光を反射する。これにより光量補正シート５１は、桟４１Ｂの部分についても、開口４１Ｃの部分についても、この透過した照明光か導光板２側に戻るようにし、桟４１Ｂにより反射して導光板２に戻る照明光と、桟４１Ｂ間の閉口部にて導光板２に戻る照明光との光量かほぼ等しくなるように、反射シート４を透過した照明光の光量を補正する。
【００４８】
この第6の参考例によれば、光吸収率の高い黒色の樹脂によりフレームを形成する場合に、フレーム４１及び反射ンート４間に高反射率の光量補正シート５１を介挿し、この光量補正シート５１により光量補正面を形成するようにしても、第５の参考例と同様の効果を得ることかできる。
【００４９】
（７）第７の参考例
図５は、第７の参考例に係る液晶表示装置を示す分解斜視図である。この液晶表示装置６０は、サイドライト型面光源装置６１の出射面側に液晶表示パネル６２を配置し、この液晶表示パネル６２をサイドライト型面光源装置６１により照明する。
【００５０】
ここでこのサイドライト型面光源装置６１は、フレームか黒色の樹脂により形成されている点を除いて、図７について上述したサイドライト型面光源装置１と同一構成により形成される。
【００５１】
さらにこの液晶表示装置６０において、このサイドライト型面光源装置６１の背面側に、光量補正部材６３か配置される。ここでこの光量補正部材６３は、照明光を吸収する黒色のンート材により形成され、フレームの開口より到来する照明光を遮光し、この開口より到来する照明光か液晶表示装置６０の背面に配置されたシールド板（図示せず）等に到達しないようになされている。
【００５２】
図５に示す構成によれば、光吸収率の高い黒色の樹脂によりフレームを形成する場合に、サイドライト型面光源装置の背面に光量補正部材６３を配置し、この光量補正部材によりフレームの開口より到来する照明光を遮光（吸収）するようにしても、第１の参考例と同様の効果を得ることかできる。
【００５３】
（８）本発明の実施の形態
図６は、本発明の実施の形態に係るサイドライト型面光源装置を示す分解斜視図である。このサイドライト型面光源装置７０は、厚手のシート材に代えて白色ＰＥＴによるンート材７１Ａ及び７１Ｂを積層して反射シートを形成する。すなわち実験した結果によれば、厚さ約１８０［μｍ］のシート材を横層した場合、同等の厚さによる厚手のシート材を１枚使用した場合に比して、桟に沿った輝度ムラを低減でき、高品位の照明光を出射することかできることか分かった。
【００５４】
図６に示す構成によれば、厚手のシート材に代えて白色ＰＥＴによるシート材７１Ａ及び７、１Ｂを穣層しても、桟に沿った輝度ムラを有効に回避して、高品位の照明光を出射することかできる。
【００５５】
（９）他の実施の形態
本発明の実施の形態においては、白色ＰＥＴによるシート材を横層する場合について述べたか、本発明はこれに限らず、銀を蒸着した銀シートを積層しても良く、また銀シートと白色ＰＥＴシートを積層してもよい。またこれらに代えて他の材質によるシート材を積層してもよい。
【００５６】
また本発明の実施の形態においては、２枚のシート材を穣層する場合について述べたか、本発明はこれに限らず、シート材を複数枚横層して上述の実施の形態と同様の効果を得ることができ、また必要に応じて第１〜第７の実施の形態に適用したシート材を組み合わせて使用してもよい。
【００５７】
また上述の実施の形態では、樹脂によりフレームを構成する場合について述べたか、本発明はこれに限らず、アルミ板材等によりフレームを構成する場合にも広く適用することかできる。
【００５８】
また、上述の実施の形態では、導光板の出射面と対向する面に光拡散面を形成する場合について述べたが、本発明はこれに限らず、導光板の出射面に光拡散面を形成する構成、あるいは出射面とこれと対向する面との両方に光拡散面を形成する構成にも広く適用することかできる。
【００５９】
また上述の実施の形態では、光制御部材として片面にプリズム面を形成したプリズムンートを２枚配置する場合について述べたが、本発明はこれに限らず、プリズムシートを１枚だけ配置する場合、さらには両面にプリズム面を形成したいわゆる両面プリズムシートを配置する場合、プリズムシートを取り除いて指向性を何ら補正しない場合等にも広く適用することができる。
【００６０】
さらに上述の実施の形態では、出射面に光拡散シート、プリズムシート、保護ソートを順次配置する場合について述べたか、本発明はこれに限らず、必要に応じてこれらのシート材を種々に変更する場合にも広く適用することかできる。
【００６１】
また上述の実施の形態では、白色ＰＥＴにより反射シートを構成する場合について述べたか、本発明はこれに限らず、透明フィルムに銀を蒸着した銀シート等の正反射部材を使用して反射シートを構成する場合にも広く適用することかできる。
【００６２】
さらに上述の実施の形態では、一端面より照明光を入射する場合について述べたか、本発明はこれに限らず、併せて他の端面から照明光を入射する構成のサイドライト型面光源装置にも広く適用することができる。
【００６３】
また上述の実施の形態では、一次光源として棒状光源を用いる場合について述べたか、本発明はこれに限らず、発光ダイオード等の点光源によりー次光源を構成する場合、あるいはこれを複数配列してー次光源を形成する場合等、種々の光源によるサイドライト型面光源装置に広く適用することかできる。
【００６４】
さらに上述の実施の形態では、液晶表示装置の面光源装置に本発明を適用した場合について述べたか、本発明はこれに限らず、種々の照明機器、表示装置等のサイドライト型面光源装置に広く適用することかできる。
【図面の簡単な説明】
【００６５】
【図１】第１の参考例に係るサイドライト型面光源装置を示す分解斜視図である。
【図２】図１のサイドライト型面光源装置の動作の説明に供する断面図である。
【図３】第２の参考例に係るサイドライト型面光源装置に適用されるフレームを示す斜視図である。
【図４】第３の参考例に係るサイドライト型面光源装置を示す分解斜視図である。
【図５】第７の参考例に係る液晶表示装置を示す分解斜視図である。
【図６】本発明の実施の形態に係る液晶表示装置を示す分解斜視図である。
【図７】従来のサイドライト型面光源装置を示す分解斜視図である。
【図８】図７をＡ−Ａ線により切り取って示す断面図である。
【符号の説明】
【００６６】
１、２０、３０、４０、５０、６１、７０    サイドライト型面光源装置
２                                        光板
４、２１、４２、７１Ａ、７１Ｂ            反射シート
１１、２５、４１、４５                    フレーム
１１Ｂ、２５Ｂ、４１Ｂ、４５Ｂ            桟
２１Ａ、２６、４２Ａ、４６                インク
３１、５１                                 光量補正シート
６３                                      光量補正部材
【図１】
2004172141.tif 000003
【図２】
2004172141.tif 000004
【図３】
2004172141.tif 000005
【図４】
2004172141.tif 000006
【図５】
2004172141.tif 000007
【図６】
2004172141.tif 000008
【図７】
2004172141.tif 000009
【図８】
2004172141.tif 000010